(57)【要約】【課題】  充電条件の異なる複数種のバッテリを、それぞれの充電条件に従って充電することができ、種類の異なるバッテリ毎に充電器を変えなければならず且つ複数個の充電器を管理しなければならないという煩雑さを解消することができる充電器を提供することを課題とする。【解決手段】  充電器本体１０内には、外部から供給される電力を、充電条件に従った形態の電力に変換する充電電力供給装置１１と、リーダ１３を介してＲＦ−ＩＤタグ２０内に記憶されている充電情報を取得して充電電力供給手段に充電条件を設定する制御手段１２が配設されている。【選択図】  図２
0003125341.tif 000002
【実用新案登録請求の範囲】
【請求項１】
外部から供給される電力を充電すべき対象バッテリの充電条件に従った形態の電力に変
換して前記対象バッテリに供給する充電器本体と、前記対象バッテリの前記充電条件に関
する充電情報を記憶したＲＦ−ＩＤタグとによって構成される充電器であって
前記充電器本体は、外部から供給される電力を設定された充電条件に従った形態の電力
に変換して前記対象バッテリに供給する充電電力供給手段と、前記ＲＦ−ＩＤタグから前
記充電情報を非接触状態で読み出すリーダと、外リーダによって読み出された前記充電情
報に基づいて前記充電条件を前記充電電力供給手段に設定する制御手段とを具えているこ
とを特徴とする充電器。
【請求項２】
前記充電条件は、充電時間および充電電流に対する制限はなく、充電電圧があらかじめ
定められた値の直流定電圧であることを特徴とする請求項１に記載の充電器。
【請求項３】
前記ＲＦ−ＩＤタグは、前記対象バッテリが装着される電気機器に固定されていること
を特徴とする請求項１または２に記載の充電器。
【考案の詳細な説明】
【技術分野】
【０００１】
本考案は、バッテリを充電する充電器に関するものである。
【背景技術】
【０００２】
近年、ノートブックパソコンや携帯電話等の携帯可能な情報機器が数多く市販されてい
る。これらの携帯可能な情報機器は、通常、充電可能なバッテリをその電源としている。
【０００３】
これらの機器においては、その機能を十分に発揮させるのに最適な特性の電力（電圧お
よび電流）を供給することができる専用のバッテリが指定されており、かつこのバッテリ
を充電するのに最適な充電条件を具えた専用の充電器が指定されている。
【考案の開示】
【考案が解決しようとする課題】
【０００４】
このように、現在ではそれぞれが固有の特性を有する様々な充電可能なバッテリが存在
しているために、数種類の機器を使用する使用者の場合、その使用者は、使用する機器の
種類の数と略同数の充電器を紛失しないように管理しておかなければならないという問題
が生じている。
【課題を解決するための手段】
【０００５】
以上の問題を解決するために本考案は、外部から供給される電力を充電すべき対象バッ
テリの充電条件に従った形態の電力に変換して前記対象バッテリに供給する充電器本体と
、前記対象バッテリの前記充電条件に関する充電情報を記憶したＲＦ−ＩＤタグとによっ
て構成される充電器であって前記充電器本体は、外部から供給される電力を設定された充
電条件に従った形態の電力に変換して前記対象バッテリに供給する充電電力供給手段と、
前記ＲＦ−ＩＤタグから前記充電情報を非接触状態で読み出すリーダと、外リーダによっ
て読み出された前記充電情報に基づいて前記充電条件を前記充電電力供給手段に設定する
制御手段とを具えていることを特徴とするものである。
【０００６】
ここで、前記充電条件は、充電時間および充電電流に対する制限はなく、充電電圧があ
らかじめ定められた値の直流定電圧であるとしてもよく、また、前記ＲＦ−ＩＤタグは、
前記対象バッテリが装着される電気機器に固定されていてもよい。
【考案の効果】
【０００７】
本考案によれば、充電条件の異なる複数種のバッテリを、それぞれの充電条件に従って
充電することができ、種類の異なるバッテリ毎に充電器を変えなければならず且つ複数個
の充電器を管理しなければならないという煩雑さを解消することができる。
【考案を実施するための最良の形態】
【０００８】
以下、図面を用いて本考案の実施例について説明する。
【実施例１】
【０００９】
図１（ａ）は、本考案の実施例１の外部構成を示した斜視図である。図１（ａ）におい
て、１０は本考案に係る充電器本体であり、この充電器本体１０は、家庭用のコンセント
（ＡＣ１００Ｖ）に差し込み可能な差込片１０ａが配設されたプラグの形態に構成されて
いる。
【００１０】
２０は、後述する充電条件に関する充電情報が記憶されているＲＦ−ＩＤタグ、２０ａ
は通信用のアンテナである。
【００１１】
３０は、充電する対象バッテリが装着されている電気機器と接続するためのコネクタで
ある。ここで、ＲＦ−ＩＤタグ２０およびアンテナ２０ａは図１（ｂ）に示したように、
対象バッテリが装着されている電気機器Ａにシール２１等で固定することが可能である。
【００１２】
図２に示したように、充電器本体１０の内部には、充電電力供給手段１１、制御手段１
２、リーダ１３が配設されている。
【００１３】
本実施例１においては、充電電力供給手段１１は、ＡＣ１００ＶをＤＣ１８Ｖに変換す
るＡＣ−ＤＣコンバータ１１ａと、ＤＣ１８Ｖの電力の供給を受け、あらかじめ設定され
た充電条件に従った形態の電力に変換し、この電力をコネクタ３０を介して対象バッテリ
４０に供給する充電電力供給装置１１ｂとによって構成されている。この充電電力供給装
置１１ｂとして、本実施例１では、米国マキシム社（Ｍａｘｉｍ  Ｉｎｔｅｇｒａｔｅｄ
Ｐｒｏｄｕｃｔｓ）製のＭＡＸ１６４５Ｂを使用している。
【００１４】
１２は、リーダ１３によって読み出されたＲＦ−ＩＤタグ２０内の充電情報に基づき、
後述するプログラムに従って充電電力供給装置１１ｂに充電条件を設定するＣＰＵを具え
た制御手段である。
【００１５】
ここで、本実施例１において使用されているＲＦ−ＩＤタグ２０とリーダ１３は、商品
管理システム等で一般に使用されているものであり、リーダ３は、非接触状態でＲＦ−Ｉ
Ｄタグ２０に記憶されているデータを読み出すことができる。
【００１６】
図３は、ＲＦ−ＩＤタグ２０記憶されている充電条件に関する充電情報のメモリマップ
５０を示したものである。
【００１７】
図３において、「対象バッテリコード」とは、対象バッテリを特定するための対象バッ
テリに対応したコードであり、「対象バッテリ固有情報」とは対象バッテリの種類、すな
わちＬｉ＋，ＮｉＣｄ等の種類に関する情報であり、「充電データのバージョン番号」と
は、このメモリカードに記憶されている充電情報のバージョンの番号である。
【００１８】
なお、図２において、ＲＤはリードデータライン，ＣＳＧは制御信号ライン，Ｖｃｃは
制御手段１２に電力を供給する電源ライン，ＳＣＬは充電電力供給装置１１ｂにクロック
信号を供給するクロック信号ライン，／ＩＮＴは割込信号ライン，ＢＡＴＴは充電電力供
給ライン，ＴＨＭは温度検出信号ラインである。
【００１９】
図４は、制御手段１２内のＣＰＵが実行すべきプログラムを示したフローチャートであ
る。
【００２０】
以下、図４を用いて本実施形態の動作を説明する。
【００２１】
充電器本体１０が、外部電源（ＡＣ１００Ｖ）に接続された状態で、ＲＦ−ＩＤタグ２
０を充電器本体１０のリーダ１３に近接させると、それを検知した時点でＣＰＵはステッ
プＳ１に進み、ＲＦ−ＩＤタグ２０から図３に示した形態で記憶されている充電情報をリ
ーダ１３を介して取得する。
【００２２】
次にステップＳ２に進んで、コネクタ３０に接続されている対象バッテリ４０の現在の
状態を検知するようアラーム・ウォーニング（Ａｌｅｒｍ  Ｗａｒｎｉｎｇ）コマンドを
充電電力供給装置１１ｂに発行する。
【００２３】
さらにステップＳ３に進んで、充電を開始するための充電用初期設定を行うようチャー
ジ・モード（Ｃｈａｒｇｅ  Ｍｏｄｅ）コマンドを充電電力供給装置１１ｂに発行する。
【００２４】
ステップＳ４では、ステップＳ１で取得した充電情報に基づいて、充電電圧コマンドと
充電電流コマンドを充電電力供給装置１１ｂに発行して、充電電力供給装置１１ｂから対
象バッテリ４０に充電電力を供給させる。
【００２５】
ステップＳ５では、充電が正常に行われているか否かを判断するデータ、すなわち充電
状態データを取得するためにチャージ・ステイタス（Ｃｈａｒｇｅ  Ｓｔａｔｕｓ）コマ
ンドを充電電力供給装置１１ｂに発行する。
【００２６】
ステップＳ６では、ステップＳ５で取得したデータに基づき、充電状態が異常か否かを
判断し、正常の場合にはステップＳ７に進む。
【００２７】
ステップＳ７では充電が終了したか否かが判断され、充電が終了した場合には、ステッ
プＳ８に進んで充電終了のためのチャージ・モード（Ｃｈａｒｇｅ  Ｍｏｄｅ）コマンド
を充電電力供給装置１１ｂに発行して充電を終了する。
【００２８】
ステップＳ７で充電が終了していないと判断された場合は、ステップＳ４に戻り、以後
、充電が終了するまで、ステップＳ４からステップＳ７までの各ステップを繰り返し実行
する。このように各ステップを繰り返して実行しているときに、ステップＳ６で異常状態
と判断したときには、ステップＳ８に進んで充電を終了する。
【００２９】
なお、本実施例１においては、ＲＦ−ＩＤタグ２０に記憶されている最大充電時間が経
過したとき、または、対象バッテリ４０の温度が所定の温度となったときに、ステップＳ
７で充電が終了したと判断するように構成されている。
【００３０】
以上説明したように、本実施例１によれば、対象バッテリ４０の充電情報を記憶してい
るＲＦ−ＩＤタグ２０を充電器本体１０に近接させることによって、同一の充電器を用い
て充電条件の異なる多種類のバッテリを充電することができる。
【００３１】
ここで、充電条件を直流定電圧とすれば、即ち、図３に示した充電情報のメモリマップ
５０において充電電圧をあらかじめ定められた値の直流定電圧時間等の出力電力を規制す
るその他の情報を省いておけば本実施例１は、所謂ＡＣアダプタ（ＡＣ−ＤＣ  コンバー
タ）として使用することができる。
【産業上の利用可能性】
【００３２】
本考案によれば、汎用性の高い充電器を提供することができ、例えば、多数の人間が利
用するホテルの室等に本発明に係る充電器を配設しておけば、そのホテルの室等の利便性
を著しく高めることができる。
【図面の簡単な説明】
【００３３】
【図１】本考案の実施例１の外部構成を示した斜視図である。
【図２】本考案の実施例１の内部構成を示したブロック図である。
【図３】メモリカード２０に記憶されている充電情報のメモリマップである。
【図４】図１に示した制御手段１２内のＣＰＵが実行すべきプログラムの一例を示したフローチャートである。
【符号の説明】
【００３４】
１０  充電器本体
１０ａ  差込片
１１  充電電力供給手段
１１ａ  ＡＣ−ＤＣコンバータ
１１ｂ  充電電力供給装置
１２  制御手段
１３  リーダ
２０  ＲＦ−ＩＤタグ
２０ａ  アンテナ
２１  シール
３０  コネクタ
４０  対象バッテリ
５０  メモリマップ
Ａ  電気機器
【図１】
0003125341.tif 000003
【図２】
0003125341.tif 000004
【図３】
0003125341.tif 000005
【図４】
0003125341.tif 000006